(57)【要約】【課題】本発明の課題は、１枚のシートで溶接作業、電気工事作業等の工事現場で必要とする、難燃又は不燃性又は耐熱破損性と電気絶縁性と耐衝撃性又は緩衝性と更に強靭性という多機能を果す養生シートを提供することである。【解決手段】一枚の養生シートにおいて、難燃性又は不燃性又は耐熱破損性と電気絶縁性と耐衝撃性又は緩衝性を付与するために、難燃性又は不燃性又は耐熱破損性の樹脂、及び、電気絶縁性の樹脂の各々の繊維の織物又は不織布、又はフィルムの積層又は、混合一体化されたもの、又は、難燃性又は不燃性又は耐熱破損性と電気絶縁性を有する樹脂の繊維の織物又は不織布、又はフィルムであり、且つ、その形状は、耐衝撃性又は緩衝性のために、スポンジ状又は凹凸形状を有する。【選択図】図１
2007197940.tif 000002
【特許請求の範囲】
【請求項１】
難燃性又は不燃性又は耐熱破損性の樹脂と電気絶縁性の樹脂の各々の繊維の織物又は不織布、又はフィルムの積層か、又は、難燃性又は不燃性又は耐熱破損性の樹脂と電気絶縁性の樹脂の混合一体化されたものか、又は、難燃性又は不燃性又は耐熱破損性と電気絶縁性を有する樹脂の繊維の織物又は不織布、又はフィルムかのいずれかからなり、且つ、その形状は耐衝撃性又は緩衝性を有するスポンジ状の形状又は凹凸形状又は複数の気孔を有したことを特徴とする養生シート。
【請求項２】
前記の凹凸形状及び前記の気孔の前記養生シートの厚み方向の寸法は、２ｍｍ以上であることを特徴とする請求項１記載の養生シート。
【請求項３】
前記の気孔は連通していることを特徴とする請求項１または請求項２記載の養生シート。
【請求項４】
前記養生シートに、ガラス繊維、又はアラミド繊維、又は炭素繊維を格子状、又は並行に付設したことを特徴とする請求項１から請求項３のいずれか一つに記載の養生シート。
【請求項５】
前記養生シート上に、前記養生シートの有する性質を示す識別マークと、作業に関する表示を行う表示マークと、取り付けや複数シートの連結を助けるためのハトメの内、すくなくとも一つを付設したことを特徴とする請求項１から請求項４のいずれか一つに記載の養生シート。
【請求項６】
前記積層は、層間を分離できない密着構造とするか、前記層間を合わせ固定する固定具を有することで、前記層間を分離可能としたことを特徴とする請求項１から請求項５のいずれか一つに記載の養生シート。
【請求項７】
前記養生シートは、前記養生シート自体が耐水性を有するか、又は、耐水性のシートを付設交換可能とする前記固定具を有することを特徴とする請求項１から請求項６のいずれか一つに記載の養生シート。
【請求項８】
前記固定具は、複数の前記固定具の間で、差込により重なる様に、前記差込のオス部とメス部が同一向きに一体に形成された構成を有することを特徴とする請求項６又は請求項７記載の養生シート。
【請求項９】
前記密着構造は、前記積層が三層であって、前記三層の各層の半分のみを互いに密着した構造を有することで、折りたたみにより前記三層のどの層も表にすることを可能としたことを特徴とする請求項６から請求項８のいずれか一つに記載の養生シート。
【発明の詳細な説明】
【技術分野】
【０００１】
本発明は、工事現場、特に溶接作業、電気配線作業などで使用して便利な養生シートであり、不燃性または難燃性又は耐熱破損性、電気絶縁性、耐衝撃性を有する養生シートに関するものである。  
【背景技術】
【０００２】
従来、溶接作業、電気配線作業などでは、溶接の火の粉の放散防止、感電防止を目的に
ベニヤ板の上に、絶縁用のブルーシートを敷き、その上に不燃シートを敷いて作業を行って来ている。特にこのような作業が高所で行われるときには、養生作業が面倒である。
従来、別々に存在する電気絶縁、不燃、耐衝撃の各々の特性を1つのシートで実現することが望まれていた。ここで、従来提案されているシートの例を特許文献で振り返って見ると、以下のようなものがある。特許文献１、特許文献２、特許文献３、特許文献４では、独立気泡製の緩衝シートの例を見ることが出来る。いずれも、気泡部となる凸部を有するシートとベースとなる平坦シートを接着することで、気泡を含むシートを作成し、緩衝性のシート、特に不燃緩衝シートを得ている。図６は、特許文献１に掲載された従来の緩衝シートである。シートは、凸部を有するシート６０１と、平坦シート６０２の接着でできている。特許文献２では、これに加えて、凸部を有するシート同士を二枚接着したものが示されている。難燃性又は不燃性又は耐熱破損性の単一機能のシートでは、特許文献５では、ポリアミド樹脂を一軸方向に延伸した線条体を縦横に織り込みフィルム状体に積層したものが提案され、特許文献６では、トリアジン系難燃剤を配合したポリアミド樹脂組成物からなる内層と、同樹脂又は、他のポリアミド樹脂、又はポリオレフィン樹脂からなる表層からなるフィラメントとこれをメッシュ状にしたメッシュシートが提案されている。特許文献７では、アラミド繊維の不織布による電気絶縁用不織布の提案がなされている。又、市場において販売されているものでは、不燃シートでは、ガラス繊維にフッソ樹脂をコーティングしたもの、炭素繊維の布やガラス繊維、アクリル繊維を焼成して炭化したものにシリコン加工したものがあり、スパッタシートと呼ばれている。以上の説明で分かるように、不燃や難燃、電気絶縁の各単機能を果すシートはあるが、一枚で多くの機能を果すシートは無く、使用上の便利さと管理上の便宜から多機能のシートを要求がなされていた。
【０００３】
【特許文献１】特開２００４−３２２４００
【特許文献２】特開２００１−３４１２１５
【特許文献３】特開２０００−７９６５１
【特許文献４】特開２０００−２７２０３６
【特許文献５】特開２００５−１９９６８９
【特許文献６】特開２００３−１０５６３５
【特許文献７】特開２００２−３０２８９３
【発明の開示】
【発明が解決しようとする課題】
【０００４】
上記のような事情から、解決しようとする課題は、溶接作業、電気工事作業等の工事現場で１枚のシートで多機能を果すものを提供することであり、その性格から、特に難燃又は不燃性又は耐熱破損性と電気絶縁性と耐衝撃性又は緩衝性とを少なくとも有し、更には、強靭性をも付加した養生シートを目論むものである。
【課題を解決するための手段】
【０００５】
上記の課題を解決するための手段は、一枚の養生シートにおいて、難燃性又は不燃性又は耐熱破損性と電気絶縁性と耐衝撃性又は緩衝性を付与するために、難燃性又は不燃性又は耐熱破損性の樹脂、及び、電気絶縁性の樹脂の各々の繊維の織物又は不織布、又はフィルムの積層又は、混合一体化されたもの、又は、難燃性又は不燃性又は耐熱破損性と電気絶縁性を有する樹脂の繊維の織物又は不織布、又はフィルムであり、且つ、その形状は、耐衝撃性又は緩衝性のために、スポンジ状又は凹凸形状を有するものであり、更に望ましくは、ガラス繊維又は、アラミド繊維、炭素繊維を格子状に付設したことで強靭性を付加したことである。以下、請求項に沿って説明する。
【０００６】
請求項１記載の発明は、養生シートであって、難燃性又は不燃性又は耐熱破損性の樹脂と電気絶縁性の樹脂の各々の繊維の織物又は不織布、又はフィルムの積層か、又は、難燃性又は不燃性又は耐熱破損性の樹脂と電気絶縁性の樹脂の混合一体化されたものか、又は、難燃性又は不燃性又は耐熱破損性と電気絶縁性を有する樹脂の繊維の織物又は不織布、又はフィルムかのいずれかからなり、且つ、その形状は耐衝撃性又は緩衝性を有するスポンジ状の形状又は凹凸形状又は複数の気孔を有したことを特徴とする。これにより、電気工事や溶接工事の養生に耐えうる養生シートを提供することが出来る。
【０００７】
請求項２記載の発明は、請求項１記載の養生シートにおいて、前記の凹凸形状及び前記の気孔の前記養生シートの厚み方向の寸法は、２ｍｍ以上であることを特徴とする。これにより、十分な耐衝撃性又は緩衝性を得ることができる。
【０００８】
請求項３記載の発明は、請求項１または請求項２記載の養生シートにおいて、前記の気孔は連通していることを特徴とする。これにより、破損に強い耐衝撃性又は緩衝性の養生シートを得ることが出来る。
【０００９】
請求項４記載の発明は、請求項１から請求項３のいずれか一つに記載の養生シートにおいて、前記養生シートに、ガラス繊維、又はアラミド繊維、又は炭素繊維を格子状、又は並行に付設したことを特徴とする。これにより、引っ張りや、破損に強いシートを得ることができる。
【００１０】
請求項５記載の発明は、請求項１から請求項４のいずれか一つに記載の養生シートにおいて、前記養生シート上に、前記養生シートの有する性質を示す識別マークと、作業に関する表示を行う表示マークと、取り付けや複数シートの連結を助けるためのハトメの内、すくなくとも一つを付設したことを特徴とする。これにより、使用上の利便性が向上する。
【００１１】
請求項６記載の発明は、請求項１から請求項５のいずれか一つに記載の養生シートにおいて、前記積層は、層間を分離できない密着構造とするか、前記層間を合わせ固定する固定具を有することで、前記層間を分離可能としたことを特徴とする。使用上の都合に合わせたものを提供できる。
【００１２】
請求項７記載の発明は、請求項１から請求項６のいずれか一つに記載の養生シートにおいて、前記養生シートは、前記養生シート自体が耐水性を有するか、又は、耐水性のシートを付設交換可能とする固定具を有することを特徴とする。これにより、水濡れの心配のある野外での使用が可能となる。
【００１３】
請求項８記載の発明は、請求項６又は請求項７記載の養生シートにおいて、前記固定具は、複数の前記固定具の間で、差込により重なる様に、前記差込のオス部とメス部が同一向きに一体に形成された構成を有することを特徴とする。これにより、これにより、重層に重ねたり、複数枚を連結して、サイズを大きくしたり出来る。
【００１４】
請求項９記載の発明は、請求項６から請求項８のいずれか一つに記載の養生シートにおいて、前記密着構造は、前記積層が三層であって、前記三層の各層の半分のみを互いに密着した構造を有することで、折りたたみにより前記三層のどの層も表にすることを可能としたことを特徴とする。これにより、使用上の自由度が向上する。
【発明の効果】
【００１５】
以上のように構成されているので、本発明による養生シートでは、１枚のシートで溶接作業、電気工事作業等の工事現場で必要とする、難燃又は不燃性又は耐熱破損性と電気絶縁性と耐衝撃性又は緩衝性と更に強靭性という多機能を果すことが出来るので、養生作業が短時間で済み、複数のシートを準備して管理する手間も省くことができる。
【発明を実施するための最良の形態】
【００１６】
本発明による養生シートを実施する最良の形態として、一枚の養生シートにおいて、難燃性又は不燃性又は耐熱破損性と電気絶縁性と耐衝撃性又は緩衝性を付与するために、難燃性又は不燃性又は耐熱破損性の樹脂、及び、電気絶縁性の樹脂の各々の繊維の織物又は不織布、又はフィルムの積層又は、混合一体化されたもの、又は、難燃性又は不燃性又は耐熱破損性と電気絶縁性を有する樹脂の繊維の織物又は不織布、又はフィルムであり、且つ、その形状は、耐衝撃性又は緩衝性のために、スポンジ状又は凹凸形状を有するものであり、更に望ましくは、ガラス繊維又は、アラミド繊維、炭素繊維を格子状または、並行に付設したことで強靭性を付加するものである。このために、難燃性又は不燃性又は耐熱破損性の樹脂と電気絶縁性の樹脂を素材として使用するが、これには、従来提案された素材を利用することが出来る。先ず、難燃性又は不燃性又は耐熱破損性の樹脂では、特許文献５では、非ハロゲン系有機難燃剤を配合したポリアミド樹脂のフィルムが示されている。更に、特許文献６、特許文献８では、非ハロゲン系有機難燃剤のなかでも、トリアジン系難燃剤を配合したポリアミド樹脂のフィルムの例が示されている。特許文献８では、トリアジン骨格を有するポリオレフィン樹脂が示されている。特許文献９では、ブロム難燃剤、アンチモン系難燃剤、金属水酸化物、燐系難燃剤を有するオレフィン系樹脂が示されている。勿論、ガラス繊維の布や炭素繊維の布、アクリル繊維の布を焼成炭化したものなどをシリコンコートしたものなどの市販されている難燃性フィルムも利用することが出来る。次に、電気絶縁性の樹脂では、フェノール樹脂、エポキシ樹脂、ウレタン樹脂、オレフィン樹脂、ポリアミド樹脂、フェニレンテレフタラミドなどのアラミド樹脂、シリコン樹脂、フッソ樹脂など殆どの樹脂が使用できる。重要な要素である耐衝撃性又は緩衝性のための柔軟性を有する樹脂では、ポリウレタン樹脂、ポリプロピレン、ポリエチレンなどのオレフィン樹脂、フッソ樹脂、シリコン樹脂、ポリエステル樹脂、ナイロン１２などのポリアミド樹脂、ウレタン変性のエポキシ樹脂などが利用できる。スポンジ状の処理については、アゾジカルボンアミド、パラトルエンスルホニルヒドラジドなどの発泡剤と、亜鉛華、ステアリン酸金属塩等の金属石鹸などの発泡助剤が上げられる。凹凸形状の形成では、樹脂の軟化温度以上での型成形を行うことが出来る。以下、実施例を用いて説明する。尚、本明細書及び請求の範囲でいう耐熱破損性とは、熱により溶融や変形をして、へこみや穴あきを生ずる事を示している。
【特許文献８】特開２００３−２５１７７０
【特許文献９】特開２０００−１９８８８８
【実施例】
【００１７】
図１は、本発明による養生シートの一実施態様を示す斜視図である。１−Ａは、難燃性又は不燃性又は耐熱破損性の樹脂のシート１０１と電気絶縁性のシート１０２が積層され、各々が、気泡１０３を有している。この気泡１０３は、密閉されたものでなくともよく、緩衝性は、上記の難燃性又は不燃性又は耐熱破損性の樹脂のシート１０１と電気絶縁性のシート１０２の素材の弾性力によりもたらされている。１−Ｃでは、１−Ａとの違いは、気泡１０３が、電気絶縁性のシート１０２の片側のみにあることである。勿論、気泡１０３が難燃性又は不燃性又は耐熱破損性の樹脂のシート１０１の側に有ってもよい。又、難燃性又は不燃性又は耐熱破損性の樹脂のシート１０１と電気絶縁性のシート１０２の上下位置関係が反対でも構わない。１−Ｂは、難燃性又は不燃性又は耐熱破損性と電気絶縁性とをともに有する樹脂のシート１０４に気泡１０３を有するものである。気泡１０３は、上下方向で全体にある必要はなく、例えば、下側に半分のみあってもよい。このような構成では、１枚の養生シートにて、難燃性又は不燃性又は耐熱破損性と電気絶縁性と緩衝性の３つの特性を得ることができる。
【００１８】
図２は、本発明による養生シートの緩衝性を得る他の実施態様を示す図である。２−Ａは斜視図でるが、図１の１−Ａに示すものから気泡１０３を除いたものに凹凸状の形状を型形成により与えたものである。即ち、難燃性又は不燃性又は耐熱破損性の樹脂のシート１０１と電気絶縁性のシート１０２の積層状態は、図１となんら変わらない。２−Ｂは、平面図であるが、図１の１−Ｂのもので気泡１０３のないものを型成形により凹凸を与えたものである。そのａ−ａで切った断面を２−Ｃに示す。この凹凸形状での素材の弾性力によりもたらされている。これらの凹凸成形は、図１の１−Ａ、１−Ｂ以外の他の形態の気泡１０３のないものにも適用が出来る。
【００１９】
図１及び図２で養生シートの緩衝性について記述したが、例えば、床材での緩衝性の場合には、足で踏んだときのソフトな感触を得ることが目的なので、１ｍｍ以下の厚みのシートで緩衝性を達成することが重要である。逆にあまり厚いと床で使用するには不向きである。しかしながら、養生シートでは、工具や角材が落ちたり、ぶつかったりするので、この衝撃を緩和するには、弾性力を発揮するためにはある程度の厚みが必要である。凹凸状でも２ｍｍ以上の高低（厚み）が好ましい。更に好ましくは、１０ｍｍ程度の凹凸形状がよい。尚、凹凸の穴が連通するもので空気による弾性を利用する場合には、部分的な衝撃力を連通穴の全面で分散して受けることが出来るので、特に緩衝性のよいシートを得ることができる。図１の１−Ｄはこのような連通気孔１０５を複数個有する場合を示している。１−Ｅは、ａｂｃｄで切り取った部分の連通気孔１０５を示している。連通気孔１０５同志は、縦と横で繋がって一体になっている。適当な大きさごとに連通気孔１０５が繋がって、一団をなしている。特に連通気孔１０５は、単数よりも複数あるほうが、一つの連通気孔１０５に破損が出来ても使えるので、好都合である。又、図には示さないが、異なる連通気孔１０５同志を位置的にいれこの状態に配置するとこの効果が発揮できる。
【００２０】
図３は、本発明による養生シートに更に強靭性を与える実施態様を示す図である。図１及び図２との対応を見ると、３−Ａは１−Ａに、３−Ｂは１−Ｂに、３−Ｃは１−Ｃに、３−Ｄは２−Ａに、３−Ｅは２−Ｃに対応している。いずれも、強靭性を与えるガラス繊維又は、アラミド繊維、炭素繊維などの強靭部材３０１が格子状または並行に組み込みされている。これにより重量物による引っ張りに耐えて破損の少ない軽量のシートを得ることができる。
【００２１】
図４は、本発明による養生シートでの応用面の実施態様を示す図である。４−Ａでは、図１の１−Ｂのものに、識別マーク４０１を付与したものである。識別マーク４０１は、文字でもよいが、色が赤なら不燃性又は耐熱破損性、青なら耐油性のようにシートの有する性質を色で示すものが利用者からは便利である。４−Ｂでは、更に表示マーク４０２が帯状になっていて、例えば、黄色の帯では、工事場所を明示する働きをする。４−Ｃでは、取り付けや、複数シートの連結を助けるために、適当な間隔でハトメ４０３を入れたものである。適当な連結具により連結することが出来る。これらの応用は、図１から図３までに記述した例のいずれにも応用が可能であることは当然である。
【００２２】
図５は、本発明による養生シートでの応用面の別の実施態様を示す図である。５−Ａでは、複数（図では３枚）の積層された養生シート５０１において、積層の層間を固定する固定具５０２を示している。５−Ａにおいては、最上層を市販のブルーシートのような耐水シートを重ねることも出来る。固定具５０２は、同様に耐水シートの固定具として用いることが出来る。市販のブルーシートは、耐水シートとして使用できるが、安価であるので、使用により劣化した場合は交換が出来、好都合である。５−Ｂにおいては、３枚を積層したシートの二組を端で重ね、接続して、サイズを大きくした応用を示している。５−Ｃでは、５−Ａ、５−Ｂで示した固定具５０２の拡大図を示している。オス部５０３とメス部５０４を有していて、オス部５０３は、他の固定具５０２のメス部５０４にはめ込まれる様になっている。ここでは、オス部５０３とメス部５０４は、向きが同じ方向に一体になっているので、５−Ｄのように、他と結合したときは、１線に重ねられる。固定具５０２とオス部５０３とメス部５０４の形状は、ここに示す円形にこだわらない。５−Ｅは、３種類の異なる層５０５、５０６、５０７を半分ずつ互いに張り合わせた構成を示すが、図で、矢印５０８で示すように折りたたみの箇所を変える事で、上層にでる層を変えることができる。矢印５０８を図の箇所で畳むと、層５０７が内側になって、表層が層５０６、裏層が層５０５となって表に出すことが出来る。各層は、例えば、耐水性、耐火性、電気絶縁性などの効果が違うので、表層に出すものがどれかを選ぶことが使用時に可能である。以上で、層間は分離できない密着構造にするか、固定具５０２を有効に使って、前記層間を分離可能とすることができる。又、養生シートは、野外で使われことも多いので、耐水性を付加することも重要であるあり、養生シート自体に耐水性を持たせるか、前記の市販のブルーシートを着脱自在にするように、固定具５０２を付設することが出来る。
【産業上の利用可能性】
【００２３】
以上の様に、本発明による養生シートは、１枚のシートで溶接作業、電気工事作業等の工事現場で必要とする、難燃又は不燃性又は耐熱破損性と電気絶縁性と耐衝撃性又は緩衝性と更に強靭性という多機能を果すことが出来るので、養生作業が短時間で済み、複数のシートを準備して管理する手間も省け、産業上大きな利用性を有している。
【図面の簡単な説明】
【００２４】
【図１】本発明による養生シートの一実施態様を示す斜視図である。
【図２】本発明による養生シートの緩衝性を得る他の実施態様を示す図である。
【図３】本発明による養生シートに更に強靭性を与える実施態様を示す図である。
【図４】本発明による養生シートでの応用面の実施態様を示す図である。
【図５】本発明による養生シートでの応用面の別の実施態様を示す図である。
【図６】従来の緩衝シートである。
【符号の説明】
【００２５】
１０１  難燃性又は不燃性又は耐熱破損性の樹脂のシート
１０２  電気絶縁性のシート
１０３  気泡
１０４  難燃性又は不燃性又は耐熱破損性と電気絶縁性とをともに有する樹脂のシート
１０５  連通気孔
３０１  強靭部材
４０１  識別マーク
４０２  表示マーク
４０３  ハトメ
５０１  積層された養生シート
５０２  固定具
５０３  オス部
５０４  メス部
５０５、５０６、５０７  層
５０８  矢印
６０１  凸部を有するシート                                                                          
６０２  平坦シート
【図１】
2007197940.tif 000003
【図２】
2007197940.tif 000004
【図３】
2007197940.tif 000005
【図４】
2007197940.tif 000006
【図５】
2007197940.tif 000007
【図６】
2007197940.tif 000008